(57)【要約】【課題】セキュリティを確保しながら、利便性を向上させた画像処理装置を提供する。【解決手段】画像処理装置１１は、ワンタイムアカウント発行部２５と、表示制御部２６と、判断部２７と、状態制御部２８と、使用制御部２９とを備える。ワンタイムアカウント発行部２５は、設定受け付け部１３が設定を受け付ければ、ワンタイムアカウントを発行する。表示制御部２６は、表示部２１に、ワンタイムアカウントを入力させる入力欄を含む入力画面を表示するよう制御する。判断部２７は、表示制御部２６により表示された入力画面において入力されたワンタイムアカウントの正誤を判断する。状態制御部２８は、判断部２７により入力されたワンタイムアカウントが正しいと判断されれば、機能の一部を使用可能な状態とするよう制御する。使用制御部２９は、所定の期間を経過すれば、ワンタイムアカウントを使用不能にするよう制御する。【選択図】図２
2019054481.tif 000002
【特許請求の範囲】
【請求項１】
複数の機能を有し、画像を処理する画像処理装置であって、
複数の前記機能の一部を使用可能であり、所定の期間内において有効であるワンタイムアカウントの設定を受け付ける設定受け付け部と、
前記設定受け付け部が設定を受け付ければ、前記ワンタイムアカウントを発行するワンタイムアカウント発行部と、
情報を表示する表示部と、
前記表示部に、前記ワンタイムアカウントを入力させる入力欄を含む入力画面を表示するよう制御する表示制御部と、
前記表示制御部により表示された前記入力画面において入力された前記ワンタイムアカウントの正誤を判断する判断部と、
前記判断部により入力された前記ワンタイムアカウントが正しいと判断されれば、前記機能の一部を使用可能な状態とするよう制御する状態制御部と、
前記所定の期間を経過すれば、前記ワンタイムアカウントを使用不能にするよう制御する使用制御部とを備える、画像処理装置。
【請求項２】
前記設定受け付け部は、前記ワンタイムアカウントに対応するパスワードの設定を受け付け、
前記ワンタイムアカウント発行部は、前記パスワードを前記ワンタイムアカウントに紐付けて前記ワンタイムアカウントを発行し、
前記表示制御部は、前記入力画面に前記パスワードを入力させる入力欄を表示するよう制御し、
前記判断部は、前記入力画面に入力された前記パスワードの正誤を判断し、
前記状態制御部は、前記判断部により入力された前記パスワードが誤っていると判断されれば、前記ワンタイムアカウントが正しいにも関わらず、前記機能の一部を使用可能な状態としないよう制御する、請求項１に記載の画像処理装置。
【請求項３】
前記機能の一部を使用可能な状態は、前記画像処理装置によって処理するファイルへのアクセス可能な状態、および前記画像処理装置によってアクセスできるＩＰアドレスへの接続可能な状態のうちの少なくともいずれか一方を含む、請求項１に記載の画像処理装置。
【請求項４】
前記使用制御部は、前記所定の期間を経過すれば、前記ワンタイムアカウントを削除するよう制御する、請求項１〜請求項３のいずれか１項に記載の画像処理装置。
【請求項５】
ネットワークを介して他の画像処理装置と接続可能であり、
前記ワンタイムアカウント発行部は、前記他の画像処理装置において付与されている権限と同じ権限で、前記ワンタイムアカウントを発行する、請求項１〜請求項４のいずれか１項に記載の画像処理装置。
【請求項６】
前記画像処理装置が配置されている部屋へのユーザーの入室情報を取得する入室情報取得部をさらに備え、
前記ワンタイムアカウント発行部は、前記入室情報取得部により取得された前記ユーザーの入室情報に基づいて、前記ワンタイムアカウントを発行する、請求項１〜請求項５のいずれか１項に記載の画像処理装置。
【発明の詳細な説明】
【技術分野】
【０００１】
この発明は、画像処理装置に関するものである。
【背景技術】
【０００２】
複合機に代表される印刷装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナーを供給して可視画像とした後、用紙にトナーを転写して定着させ、装置外に出力する。
【０００３】
ここで、不正な印刷を防止した印刷装置やセキュリティを確保できる情報処理システムに関する技術が、特開２０１１−１９８０１７号公報（特許文献１）、および特開２０１３−１７８７２６号公報（特許文献２）に開示されている。
【０００４】
特許文献１に開示の印刷装置は、印刷装置と端末装置とを含む印刷システムで利用される印刷装置である。特許文献１に開示の印刷装置は、有効期間が設定された第一の認証情報を有効期限毎に生成する生成手段と、前記印刷装置から近距離に存在する前記端末装置に提供するために、前記生成手段により生成された前記第一の認証情報を出力する出力手段と、前記端末装置の印刷指示による印刷データを受信する印刷データ受信手段と、前記印刷データを用いて印刷を実行する印刷実行手段と、前記端末装置が前記出力手段に出力されることにより取得した前記第一の認証情報に基づいて、当該端末装置が認証される場合に、前記印刷実行手段に前記印刷データを用いて印刷を実行させる実行制御手段とを備えることを特徴としている。
【０００５】
また、特許文献２に開示の情報処理システムは、無線通信により情報を送受信する通信装置と、該通信装置と接続して情報を送受信し、前記通信装置から送信される情報に対する所定の処理を行う情報処理装置とを含む情報処理システムである。前記情報処理装置は、ワンタイムパスワードを生成する生成手段と、該生成手段が生成したワンタイムパスワードを出力する出力手段と、前記生成手段が生成したワンタイムパスワードに基づき、前記通信装置からの通信接続の認証処理を行う認証手段と、認証後に前記通信装置から送信される情報を受信する手段と、前記通信装置との通信接続を、前記所定の処理の開始又は完了のタイミングに係る期間に制限する制限手段とを備える。前記通信装置は、前記ワンタイムパスワードを取得する手段と、取得したワンタイムパスワードに基づき前記情報処理装置へ接続する手段と、接続中に前記情報処理装置へ情報を送信する手段とを備える。特許文献２に開示の情報処理システムは、このような構成を備えることを特徴としている。
【先行技術文献】
【特許文献】
【０００６】
【特許文献１】特開２０１１−１９８０１７号公報
【特許文献２】特開２０１３−１７８７２６号公報
【発明の概要】
【発明が解決しようとする課題】
【０００７】
昨今の画像処理装置については、アカウント認証により画像処理装置の有する機能を使用可能とするものが多い。ここで、特許文献１および特許文献２に開示の技術では、一回の認証処理で限られた一つの処理や一つの操作等しか行うことができず、ユーザーにとって不便な場合がある。すなわち、ある程度の期間内において、アカウントを有しないユーザーに、複数の機能を有する画像処理装置の一部の機能を使用させて処理を行いたい場合に対応することが極めて困難となる。
【０００８】
アカウントを有しないユーザーに対し、アカウントを発行して処理を行わせる場合もある。このような場合、セキュリティの確保から、アカウントを発行したユーザーの処理が終了した時点でアカウントを消去する必要があるが、アカウントを消去し忘れたり、誤って他のアカウントを消去してしまうおそれもある。また、画像処理装置の有する機能を全てこのようなユーザーに使用可能な状態とするのも、セキュリティの観点からすると好ましくない場合もある。
【０００９】
すなわち、セキュリティを確保しながら、アカウントを有しないユーザーに対しても、ある程度の処理を行うことができる画像処理装置が求められる。
【００１０】
この発明の目的は、セキュリティを確保しながら、利便性を向上させた画像処理装置を提供することである。
【課題を解決するための手段】
【００１１】
この発明に係る画像処理装置は、複数の機能を有し、画像を処理する。画像処理装置は、設定受け付け部と、ワンタイムアカウント発行部と、表示部と、表示制御部と、判断部と、状態制御部と、使用制御部とを備える。設定受け付け部は、複数の機能の一部を使用可能であり、所定の期間内において有効であるワンタイムアカウントの設定を受け付ける。ワンタイムアカウント発行部は、設定受け付け部が設定を受け付ければ、ワンタイムアカウントを発行する。表示部は、情報を表示する。表示制御部は、表示部に、ワンタイムアカウントを入力させる入力欄を含む入力画面を表示するよう制御する。判断部は、表示制御部により表示された入力画面において入力されたワンタイムアカウントの正誤を判断する。状態制御部は、判断部により入力されたワンタイムアカウントが正しいと判断されれば、機能の一部を使用可能な状態とするよう制御する。使用制御部は、所定の期間を経過すれば、ワンタイムアカウントを使用不能にするよう制御する。
【発明の効果】
【００１２】
このような画像処理装置によると、セキュリティを確保しながら、利便性を向上させることができる。
【図面の簡単な説明】
【００１３】
【図１】この発明の一実施形態に係る画像処理装置を複合機に適用した場合の複合機の外観図である。
【図２】図１に示す複合機の構成を示すブロック図である。
【図３】操作部の概略的な構成を示す外観図である。
【図４】ワンタイムアカウントを発行する際の処理の流れを示すフローチャートである。
【図５】ワンタイムアカウントを設定する際の表示画面の一例を示す図である。
【図６】ワンタイムアカウントを用いて複合機にログインする際の処理の流れを示すフローチャートである。
【図７】ワンタイムアカウントおよびパスワードの入力画面の一例を示す図である。
【図８】所定の期間が経過した際の処理の流れを示すフローチャートである。
【発明を実施するための形態】
【００１４】
以下、この発明の実施の形態を説明する。なお、以下の図面において同一または相当する部分には同一の参照番号を付しその説明は繰返さない。
【００１５】
図１は、この発明の一実施形態に係る画像処理装置を複合機に適用した場合の複合機１１の外観図である。図２は、図１に示す複合機１１の構成を示すブロック図である。図１および図２を参照して、複合機１１は、画像処理に関し、コピー機能、プリンター機能、ファクシミリ機能等、複数の機能を有する。複合機１１は、制御部１２と、設定受け付け部としての操作部１３と、画像読み取り部１４と、画像形成部１５と、給紙カセット１６と、ハードディスク１７と、ネットワーク２３と接続するためのネットワークインターフェース部１８とを備える。すなわち、複合機１１は、ネットワーク２３を介して外部と接続可能な構成である。
【００１６】
制御部１２は、複合機１１全体の制御を行う。なお、制御部１２は、ＣＰＵ（Ｃｅｎｔｒａｌ  Ｐｒｏｃｅｓｓｉｎｇ  Ｕｎｉｔ）等から構成されており、一時的にデータを記憶する主記憶メモリ１９を含む。操作部１３は、複合機１１側から発信される情報やユーザーの入力内容を表示する表示部としての表示画面２１を含む。また、操作部１３は、複合機１１の有する複数の機能の一部を使用可能であり、所定の期間内において有効である後述のワンタイムアカウントの設定を受け付ける。また、操作部１３は、ワンタイムアカウントに対応するパスワードの設定を受け付ける。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または原稿を載置する載置台上にセットされた原稿の画像を読み取る。給紙カセット１６は複数設けられており、それぞれ複数枚の用紙をその内部に収納することができる。画像形成部１５は、画像読み取り部１４により読み取られた原稿の画像データやネットワークを介して送信された画像データを基に、給紙カセット１６から搬送されてきた用紙に画像を形成して印刷する。ハードディスク１７は、送信された画像データや入力された画像形成条件等、画像形成に関するデータを記憶する。
【００１７】
次に、上記した操作部１３の構成について説明する。図３は、操作部１３の概略的な構成を示す外観図である。図３を参照して、操作部１３は、印刷部数等を入力させるための０〜９までの数字、および「＊」や「＃」の記号をユーザーに入力させるテンキー３１と、印刷の開始やファクシミリ送信の開始を指示させるスタートキー３２と、複合機１１の電源のオンまたはオフを入力させる電源キー３３と、複合機１１の有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、スタンバイモードからスリープモードへの移行またはスリープモードからスタンバイモードへの移行のキーとなる節電キー３７と、上記した表示画面２１とを含む。なお、上記したテンキー３１等は、いわゆるハードキーである。表示画面２１は、ユーザーの指での押圧等により、表示画面２１からも画像形成条件等を入力させると共に、機能の選択等を行うことができる。
【００１８】
次に、複合機１１に備えられる制御部１２の構成について説明する。再び図２を参照して、制御部１２は、ワンタイムアカウント発行部２５と、表示制御部２６と、判断部２７と、状態制御部２８と、使用制御部２９とを備える。ワンタイムアカウント発行部２５は、操作部１３が設定を受け付ければ、ワンタイムアカウントを発行する。また、ワンタイムアカウント発行部２５は、パスワードをワンタイムアカウントに紐付けてワンタイムアカウントを発行する。表示制御部２６は、表示画面２１に、ワンタイムアカウントを入力させる入力欄を含む入力画面を表示するよう制御する。また、表示制御部２６は、入力画面にパスワードを入力させる入力欄を表示するよう制御する。判断部２７は、表示制御部２６により表示された入力画面において入力されたワンタイムアカウントの正誤を判断する。また、判断部２７は、入力画面に入力されたパスワードの正誤を判断する。状態制御部２８は、判断部２７により入力されたワンタイムアカウントが正しいと判断されれば、機能の一部を使用可能な状態とするよう制御する。また、状態制御部２８は、判断部２７により入力されたパスワードが誤っていると判断されれば、ワンタイムアカウントが正しいにも関わらず、機能の一部を使用可能な状態としないよう制御する。使用制御部２９は、所定の期間を経過すれば、ワンタイムアカウントを使用不能にするよう制御する。これらの構成の詳細については、後に詳述する。
【００１９】
次に、このような複合機１１により、ワンタイムアカウントを発行する際の処理の流れについて説明する。図４は、ワンタイムアカウントを発行する際の処理の流れを示すフローチャートである。
【００２０】
併せて図４を参照して、操作部１３は、アカウント設定画面を表示画面２１に表示して設定を受け付ける（図４において、ステップＳ１１、以下、「ステップ」を省略する）。ユーザーは、アカウント設定画面を利用して、ワンタイムアカウントを発行する。なお、このようなアカウント設定画面については、一般的なユーザー、すなわち、管理者等ではなく、複合機１１にログインして複合機１１の有する機能を全て使用可能なユーザーによって表示可能な画面である。こうすることにより、管理者の手を煩わせなくとも、ワンタイムアカウントを設定することができる。
【００２１】
図５は、ワンタイムアカウントを設定する際の表示画面２１の一例を示す図である。図５を参照して、表示画面２１には、「ワンタイムアカウント設定画面」の文字４１と、文字４１の下に配置され、「ワンタイムアカウントを設定してください。」とのメッセージ４２ａと、メッセージ４２ａの横に配置され、設定するワンタイムアカウントを入力させる入力欄４３ａと、メッセージ４２ａの下に配置され、「パスワードを設定してください。」とのメッセージ４２ｂと、メッセージ４２ｂの横に配置され、設定するパスワードを入力させる入力欄４３ｂと、メッセージ４２ｂの下に配置され、「期限を設定してください。」とのメッセージ４２ｃと、メッセージ４２ｃの横に配置され、設定する期限を入力させる入力欄４３ｃと、メッセージ４２ｃの下に配置され、「使える機能を設定してください。」とのメッセージ４２ｄと、メッセージ４２ｄの横に配置され、使える機能を入力させる入力欄４３ｄと、文字４１の横に配置され、「中止」と示されており、押下を検知することにより設定を中止させる中止キー４４ａと、中止キー４４ａの横に配置され、「ＯＫ」と示されており、押下を検知することにより設定を確定させる確定キー４４ｂとが表示されている。
【００２２】
ワンタイムアカウントを発行するユーザーは、このような表示画面２１に沿って入力を行う。すなわち、まず、ユーザーは、入力欄４３ａに設定するワンタイムアカウントを入力する。そうすると、操作部１３は、ワンタイムアカウントの設定を受け付ける（Ｓ１２において、ＹＥＳ）。次に、ユーザーは、入力欄４３ｂに設定するパスワードを入力する。パスワードは、ワンタイムアカウントに紐付いたものである。そうすると、操作部１３は、パスワードの設定を受け付ける（Ｓ１３において、ＹＥＳ）。次に、ユーザーは、入力欄４３ｃに設定する期限を入力する。そうすると、操作部１３は、期限の設定を受け付ける（Ｓ１４において、ＹＥＳ）。最後に、ユーザーは、入力欄４３ｄに設定する使える機能を入力する。そうすると、操作部１３は、使える機能の設定、すなわち、この場合、複数の機能を有する複合機１１において使用可能となる機能の一部を受け付ける（Ｓ１５において、ＹＥＳ）。操作部１３が設定を受け付ければ、ワンタイムアカウント発行部２５は、設定された内容に応じて、ワンタイムアカウントを発行する（Ｓ１６）。このようにして、ワンタイムアカウントが発行される。パスワードに紐付けられ、発行されたワンタイムアカウントのデータについては、例えば、期限のデータおよび使用可能な機能のデータと共に、ハードディスク１７の格納領域にテーブル形式で記憶される。
【００２３】
次に、ワンタイムアカウントを用いて複合機１１にログインする際の処理の流れについて説明する。図６は、ワンタイムアカウントを用いて複合機１１にログインする際の処理の流れを示すフローチャートである。
【００２４】
図６を参照して、表示制御部２６は、アカウント入力画面を表示画面２１に表示する（Ｓ２１）。具体的には、表示制御部２６は、ワンタイムアカウントおよびパスワードの入力画面を表示するよう制御する。
【００２５】
図７は、ワンタイムアカウントおよびパスワードの入力画面の一例を示す図である。図７を参照して、表示画面２１には、ユーザー名との文字４６ａと、文字４６ａの横に配置され、アカウントを入力させる入力欄４７ａと、文字４６ａの下に配置されるパスワードとの文字４６ｂと、文字４６ｂの横に配置され、パスワードを入力させる入力欄４７ｂと、「ログイン」と示され、押下により入力されたアカウントおよびパスワードが正しいか否かを判断させるログインキー４８とが表示されている。
【００２６】
ワンタイムアカウントおよびパスワードが入力欄４７ａ、４７ｂにそれぞれ入力され、ログインキー４８が押下されたことを検知すると（Ｓ２２において、ＹＥＳ）、判断部２７は、入力画面において入力されたワンタイムアカウントおよびパスワードの正誤を判断する（Ｓ２３）。この場合、ハードディスク１７に記憶されたデータに基づいて判断される。
【００２７】
判断部２７により入力されたアカウントおよびパスワードが正しいと判断されれば（Ｓ２３において、ＹＥＳ）、次の表示画面２１に移行し（Ｓ２４）、状態制御部２８は、機能の一部を使用可能な状態とするよう制御する（Ｓ２５）。具体的には、複合機１１の有する複数の機能のうちの一部の機能であるコピーが使用可能な状態とする。一方、判断部２７により入力されたアカウントまたはパスワードが正しいと判断されなければ（Ｓ２３において、ＮＯ）、アカウントまたはパスワードが誤っている旨を、表示画面２１に表示し（Ｓ２６）、アカウント入力画面に戻る。すなわち、このような状態では、何等の機能も使えないこととなる。
【００２８】
次に、所定の期間が経過した場合について説明する。図８は、所定の期間が経過した際の処理の流れを示すフローチャートである。図８を参照して、例えば、ワンタイムアカウントが設定されてから一週間が経過した等、所定の期間が経過すれば（Ｓ３１において、ＹＥＳ）、使用制御部２９は、ワンタイムアカウントを使用不能にするよう制御する。この場合、例えば、設定されたワンタイムアカウントおよびこのワンタイムアカウントに紐付いたパスワードを、ハードディスク１７から削除する（Ｓ３２）。
【００２９】
このような複合機１１によると、入力されたワンタイムアカウントおよびパスワードが正しいと判断されれば、複合機１１の有する複数の機能のうちの設定された機能の一部を使用可能な状態となるため、ワンタイムアカウントを利用してログインしたユーザーにおける機能の一部の使用を確保することができる。この場合、ワンタイムアカウントを利用してログインしたユーザーは、複合機１１の有する全ての機能のうちの他の機能は使用できないため、セキュリティを確保することができる。また、所定の期間が経過すれば、ワンタイムアカウントが使用できなくなるため、ワンタイムアカウントの利用時期を制限して、セキュリティを確保することができる。この場合、管理者によるワンタイムアカウントの削除等は不要である。したがって、セキュリティを確保しながら、利便性を向上させることができる。
【００３０】
この場合、ワンタイムアカウントおよびパスワードの正誤に基づいて機能の一部を使用可能な状態としているため、よりセキュリティを高く維持することができる。
【００３１】
また、この場合、使用制御部２９は、所定の期間を経過すれば、ワンタイムアカウントを削除するよう制御しているため、より高くセキュリティを維持することができる。
【００３２】
なお、上記の実施の形態において、ワンタイムアカウントおよびパスワードの正誤に基づいて機能の一部を使用可能な状態とすることとしたが、これに限らず、ワンタイムアカウントの正誤のみに基づいて、機能の一部を使用可能な状態とするよう構成してもよい。
【００３３】
また、上記の実施の形態においては、状態制御部２８は、複合機１１の有する複数の機能のうちの一部の機能であるコピーが使用可能な状態とするようにしたが、これに限らず、以下のようにしてもよい。すなわち、状態制御部２８による機能の一部を使用可能な状態は、複合機１１によって処理するファイルへのアクセス可能な状態、および複合機１１によってアクセスできるＩＰアドレスへの接続可能な状態のうちの少なくともいずれか一方を含む構成としてもよい。こうすることにより、セキュリティレベルの高いコンピューターへのアクセスを制限したり、セキュリティレベルの高いファイルへアクセスを防止することができる。
【００３４】
なお、上記の実施の形態において、複合機１１は、ネットワーク２３を介して他の複合機と接続可能であり、ワンタイムアカウント発行部２５は、他の複合機１１において付与されている権限と同じ権限で、ワンタイムアカウントを発行するようにしてもよい。こうすることにより、ユーザーによる操作部１３における設定を簡略化することができる。
【００３５】
また、以下のように構成してもよい。すなわち、複合機１１が配置されている部屋へのユーザーの入室情報を取得する入室情報取得部をさらに備える構成とする。そして、ワンタイムアカウント発行部２５は、入室情報取得部により取得されたユーザーの入室情報に基づいて、ワンタイムアカウントを発行するようにしてもよい。例えば、入室情報のデータとして入室したユーザー名に基づいて、ワンタイムアカウントの名称をユーザー名とする。こうすることにより、取得した入室情報を利用して、セキュリティを確保しながら、設定の簡略化を図ることができる。
【００３６】
なお、上記の実施の形態においては、使用制御部２９は、所定の期間を経過すれば、ワンタイムアカウントを削除するよう制御することとしたが、これに限らず、ワンタイムアカウントのデータをハードディスク１７に記憶させたまま、ワンタイムアカウントを使用できなくするよう制御してもよい。そして、例えば、以降の処理において、操作部１３による重複したワンタイムアカウントの設定をできなくするようにしてもよい。こうすることにより、ワンタイムアカウントのログ等を取得して、ワンタイムアカウントの適切な管理を行うことができる。
【００３７】
また、上記の実施の形態において、所定の期間が経過し、使用制御部２９によりワンタイムアカウントを使用不能とされれば、表示制御部２６により、その旨を表示画面２１に表示するようにしてもよい。こうすることにより、ワンタイムアカウントを利用していたユーザーに、使用できなくなった旨を報知することができる。この場合、使用不能となった後に、ワンタイムアカウントが入力された際に表示するようにしてもよい。
【００３８】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３９】
この発明に係る画像処理装置は、セキュリティの確保、および利便性の向上が要求される場合に、特に有効に利用される。
【符号の説明】
【００４０】
１１  複合機、１２  制御部、１３  操作部、１４  画像読み取り部、１５  画像形成部、１６  給紙カセット、１７  ハードディスク、１８  ネットワークインターフェース部、１９  主記憶メモリ、２１  表示画面、２２  ＡＤＦ、２３  ネットワーク、２５  ワンタイムアカウント発行部、２６  表示制御部、２７  判断部、２８  状態制御部、２９  使用制御部、３１  テンキー、３２  スタートキー、３３  電源キー、３４  メニューキー、３５  登録キー、３６  リセットキー、３７  節電キー、４１，４６ａ，４６ｂ  文字、４２ａ，４２ｂ，４２ｃ，４２ｄ  メッセージ、４３ａ，４３ｂ，４３ｃ，４３ｄ，４７ａ，４７ｂ  入力欄、４４ａ  中止キー、４４ｂ  確定キー、４８  ログインキー。
【図１】
2019054481.tif 000003
【図２】
2019054481.tif 000004
【図３】
2019054481.tif 000005
【図４】
2019054481.tif 000006
【図５】
2019054481.tif 000007
【図６】
2019054481.tif 000008
【図７】
2019054481.tif 000009
【図８】
2019054481.tif 000010